(57)【要約】      （修正有）【課題】電気錠の施解錠操作のために必要とされる携行機器を不要にして利便性を高める。【解決手段】扉１に設置される電気錠１０を施解錠するための施解錠番号の設定を暗証番号入力装置３の番号入力部３０にて行い、この施解錠番号を、電気錠の施解錠操作が有効又は無効であるかの判別を行うための暗証番号として入力装置メモリ３１及び施解錠装置２の施解錠装置メモリ２２にそれぞれ記憶する。また、電気錠の施解錠操作時に番号入力部にて入力される施解錠番号と入力装置メモリに予め記憶された暗証番号との照合を入力装置ＣＰＵ３３にて行い、その比較結果を表示部３２に表示させ、電気錠の施解錠操作時に入力される施解錠番号と入力装置メモリ及び施解錠装置メモリに予め記憶された暗証番号との照合を入力装置ＣＰＵ及び施解錠装置ＣＰＵ２３にてそれぞれ行い、少なくとも施解錠装置ＣＰＵによる照合結果が一致した場合にのみ電気錠を施解錠する。【選択図】図１
2009035866.tif 000002
【特許請求の範囲】
【請求項１】
扉（１）の電気錠（１０）を施解錠するための施解錠装置（２）と、前記施解錠装置に無線信号を送信して無線通信を行い、前記電気錠を施解錠するための暗証番号入力装置（３）とが設けられ、
前記暗証番号入力装置には、前記電気錠を施解錠するための施解錠番号を設定する番号入力部（３０）と、前記番号入力部にて設定された前記施解錠番号を暗証番号として記憶するための入力装置メモリ（３１）と、前記電気錠の施解錠操作時に前記番号入力部にて入力される施解錠番号と前記入力装置メモリに予め記憶されている暗証番号とを照合し、前記施解錠操作が有効又は無効であるかの判別を行うための入力装置ＣＰＵ（３３）とを備え、
前記施解錠装置には、前記暗証番号入力装置の番号入力部にて設定され、無線通信で伝送されてくる前記施解錠番号を前記暗証番号として記憶するための施解錠装置メモリ（２２）と、前記電気錠の施解錠操作時に前記番号入力部にて入力され、無線通信で伝送されてくる施解錠番号と前記施解錠装置メモリに予め記憶されている暗証番号とを照合し、前記施解錠操作が有効又は無効であるかの判別を行うための施解錠装置ＣＰＵ（２３）とを備えたことを特徴とする電気錠施解錠システム。
【請求項２】
前記施解錠装置の施解錠装置ＣＰＵは、前記暗証番号入力装置の入力装置ＣＰＵによる照合結果と当該施解錠装置ＣＰＵによる照合結果とのうち、少なくとも当該施解錠装置ＣＰＵによる照合結果が一致したときに前記電気錠を施解錠することを特徴とする請求項１記載の電気錠施解錠システム。
【請求項３】
前記施解錠装置の施解錠装置ＣＰＵは、前記暗証番号入力装置の入力装置ＣＰＵによる照合結果と当該施解錠装置ＣＰＵによる照合結果とがそれぞれ一致したときに前記電気錠を施解錠することを特徴とする請求項１記載の電気錠施解錠システム。
【請求項４】
前記暗証番号入力装置には、前記入力装置ＣＰＵの照合結果を表示するための表示部（３２）を備えたことを特徴とする請求項１乃至請求項３のうち何れか１項記載の電気錠施解錠システム。
【発明の詳細な説明】
【技術分野】
【０００１】
本発明は電気錠施解錠システムに係り、特に、扉の電気錠を遠隔操作で施解錠することができる電気錠施解錠システムに関する。
【背景技術】
【０００２】
従来から、この種の電気錠施解錠システムとして、所定のＩＤ番号が予め記録されている無線リモコン等の電子キーに設けられた送信ボタンを押すことにより、ＩＤ番号を含む無線信号を電子キーから電気錠に送信し、電気錠にＩＤ番号を読み込ませ、電気錠の制御として、読み取ったＩＤ番号と予め設定されたＩＤ番号とを比較し、当該ＩＤ番号が一致したときに電気錠を解錠することができるセキュリティ管理システムが開示されている（例えば、特許文献１を参照。）。
【０００３】
【特許文献１】特開２００３−１８４３７８号公報
【発明の開示】
【発明が解決しようとする課題】
【０００４】
しかしながら、背景技術に記載された特許文献１のセキュリティ管理システムにおいて、無線リモコン等の電子キーを居住者が使用するにあたり、新聞や牛乳の取り入れやゴミの搬出等、居住者にとって些細な理由で住戸外に出る場合であっても、この電子キーを携行せねばならず利便性が低下していた。また、電子キーを紛失してしまうと、電気錠を解錠させるための解錠手段が何ら備えられていないため、例えば、外出先から帰宅しようとする居住者は、住戸内に入れない虞があった。また、電気錠に読み込まれるＩＤ番号が、悪意のある泥棒等の不審者により作為的に変更された場合、居住者により携行される電子キーに予め記憶されている正規なＩＤ番号との照合が一致せず、例えば、外出先から帰宅しようとする居住者は、住戸内に入れない虞があるばかりでなく、その照合結果を電子キーにて表示する表示手段が何ら備えられていなかった。
【０００５】
本発明は、これらの難点を解消するためになされたもので、電気錠の施解錠操作のために必要とされる携行機器を不要にして利便性を高めるとともに、当該施解錠操作が行われる暗証番号入力装置における施解錠番号と暗証番号との照合結果を操作者に報知し、悪意のある泥棒等の不審者による施解錠操作を無効にして防犯性を高めた電気錠施解錠システムを提供することを目的としている。
【課題を解決するための手段】
【０００６】
前述の目的を達成するため、本発明の第１の態様である電気錠施解錠システムは、扉の電気錠を施解錠するための施解錠装置と、施解錠装置に無線信号を送信して無線通信を行い、電気錠を施解錠するための暗証番号入力装置とが設けられている。暗証番号入力装置には、電気錠を施解錠するための施解錠番号を設定する番号入力部と、番号入力部にて設定された施解錠番号を暗証番号として記憶するための入力装置メモリと、電気錠の施解錠操作時に番号入力部にて入力される施解錠番号と入力装置メモリに予め記憶されている暗証番号とを照合し、電気錠の施解錠操作が有効又は無効であるかの判別を行うための入力装置ＣＰＵとを備えている。施解錠装置には、暗証番号入力装置の番号入力部にて設定され、無線通信で送信されてくる施解錠番号を暗証番号として記憶するための施解錠装置メモリと、電気錠の施解錠操作時に番号入力部にて入力され、無線通信で送信されてくる施解錠番号と施解錠装置メモリに予め記憶されている暗証番号とを照合し、電気錠の施解錠操作が有効又は無効であるかの判別を行うための施解錠装置ＣＰＵとを備えている。
【０００７】
また、本発明の第２の態様である電気錠施解錠システムは、本発明の第１の態様において、施解錠装置の施解錠装置ＣＰＵは、暗証番号入力装置の入力装置ＣＰＵによる照合結果と当該施解錠装置ＣＰＵによる照合結果とのうち、少なくとも当該施解錠装置ＣＰＵによる照合結果が一致したときに電気錠を施解錠するものである。
【０００８】
また、本発明の第３の態様である電気錠施解錠システムは、本発明の第１の態様において、施解錠装置の施解錠装置ＣＰＵは、暗証番号入力装置の入力装置ＣＰＵによる照合結果と当該施解錠装置ＣＰＵによる照合結果とがそれぞれ一致したときに電気錠を施解錠するものである。
【０００９】
また、本発明の第４の態様である電気錠施解錠システムは、本発明の第１の態様乃至第３の態様のうち何れか１の態様において、暗証番号入力装置には、入力装置ＣＰＵの照合結果を表示するための表示部を備えている。
【発明の効果】
【００１０】
本発明の電気錠施解錠システムによれば、扉に設置される電気錠を施解錠するための施解錠番号の設定を暗証番号入力装置の番号入力部にて行い、この施解錠番号を、電気錠の施解錠操作が有効又は無効であるかの判別を行うための暗証番号として入力装置メモリ及び施解錠装置の施解錠装置メモリにそれぞれ記憶することができる。また、電気錠の施解錠操作時に番号入力部にて入力される施解錠番号と入力装置メモリに予め記憶された暗証番号との照合を入力装置ＣＰＵにて行い、その比較結果を表示部に表示させることにより、悪意のある泥棒等の不審者により正規な施解錠番号が不正な施解錠番号に作為的に変更され、暗証番号として入力装置メモリに予め記憶された場合であっても、この変更を容易に報知できる。さらには、電気錠の施解錠操作時に番号入力部にて入力される施解錠番号と入力装置メモリ及び施解錠装置メモリに予め記憶された暗証番号との照合を入力装置ＣＰＵ及び施解錠装置ＣＰＵにてそれぞれ行い、少なくとも施解錠装置ＣＰＵによる照合結果が一致した場合にのみ電気錠を施解錠することにより、不審者による施解錠操作を無効にすることで防犯性を高めることができる
【発明を実施するための最良の形態】
【００１１】
以下、本発明の電気錠施解錠システムを適用した最良の実施の形態例について、図面を参照して説明する。
【００１２】
図１は、本発明の実施例による電気錠施解錠システムの具体的な構成を示すブロック図である。この電気錠施解錠システムには、壁により隔てられる住戸内外を出入りするための玄関扉１に設置される電気錠１０と、住戸内に設置され、扉ラインＬ1を経由して接続された玄関扉１の開閉状態を検出するとともに、電気錠ラインＬ2を経由して接続された電気錠１０を施解錠するための施解錠装置２と、住戸外に設置され、施解錠装置２に無線信号を送信して無線通信を行い、電気錠１０を施解錠するための暗証番号入力装置３とが設けられている。
【００１３】
また、暗証番号入力装置３には、番号入力部３０、入力装置メモリ３１、表示部３２、入力装置ＣＰＵ３３、入力装置無線Ｉ／Ｆ３４及び入力装置電源部３５が備えられている。
【００１４】
この暗証番号入力装置３において、番号入力部３０は、入力装置ＣＰＵ３３により操作検出され、電気錠１０を施解錠するための施解錠番号を設定／入力するものであり、テンキー、アルファベットキー等の各種の独立した複数個の押圧ボタン（図示せず。）や表示部３２の前面に設けられるタッチパネル上の複数個のタッチキー（図示せず。）が好適とされる。なお、前述の施解錠番号は、番号入力部３０を構成する複数個の押圧ボタン又はキーの組み合わせにより決定されるものである。
【００１５】
入力装置メモリ３１は、入力装置ＣＰＵ３３により書込（記憶）／読出制御され、番号入力部３０にて設定された施解錠番号を、電気錠１０の施解錠操作が有効又は無効であるかの判別を行うための暗証番号として記憶するものであり、例えば、ＲＡＭ、ＥＥＰＲＯＭ等の各種の記憶媒体が好適とされる。
【００１６】
表示部３２は、入力装置ＣＰＵ３３により制御され、入力装置ＣＰＵ３３の照合結果を表示するためのものであり、例えば、ＬＣＤ、ＰＤＰ、ＳＥＤ、有機ＥＬディスプレイ等の使用による出画表示媒体やＬＥＤ等の使用による発光媒体が好適とされる。
【００１７】
入力装置ＣＰＵ３３は、暗証番号入力装置３の構成各部を制御するためのものであり、具体的な制御としては、電気錠１０の施解錠操作時に番号入力部３０にて入力される施解錠番号と入力装置メモリ３１に予め記憶されている暗証番号とを比較し、電気錠１０の施解錠操作が有効又は無効であるかの判別を行い、その比較結果を表示部３２に表示することができる。また、入力装置ＣＰＵ３２は、番号入力部３０にて設定された施解錠番号又は電気錠１０の施解錠操作時に番号入力部３０にて入力される施解錠番号を、入力装置無線Ｉ／Ｆ３４から施解錠装置２に無線信号で送信することができる。
【００１８】
入力装置無線Ｉ／Ｆ３４は、入力装置ＣＰＵ３２からの施解錠番号を無線信号に信号処理して、施解錠装置２の後述する施解錠装置無線Ｉ／Ｆ２６に無線通信で送信するためのものである。
【００１９】
入力装置電源部３５は、暗証番号入力装置３の構成各部への動作電源を生成するためのものであり、例えば、電池（一次電池、二次電池）が好適とされる。
【００２０】
さらに、施解錠装置２には、扉開閉検出部２０、電気錠制御部２１、施解錠装置メモリ２２、施解錠装置ＣＰＵ２３、扉側施解錠装置Ｉ／Ｆ２４、電気錠側施解錠装置Ｉ／Ｆ２５、施解錠装置無線Ｉ／Ｆ２６及び施解錠装置電源部２７が備えられている。
【００２１】
この施解錠装置２において、扉開閉検出部２０は、電気錠１０が設置されている玄関扉１の開閉状態を検出し、その旨の信号を施解錠装置ＣＰＵ２３に送出するためのものである。
【００２２】
電気錠制御部２１は、施解錠装置ＣＰＵ２３により制御され、電気錠１０を施解錠するためのものである。
【００２３】
施解錠装置メモリ２２は、施解錠装置ＣＰＵ２３により書込（記憶）／読出制御され、暗証番号入力装置３の番号入力部３０にて設定され、無線信号で自装置に送信されてくる施解錠番号を受信し、電気錠１０の施解錠操作が有効又は無効であるかの判別を行うための暗証番号として記憶するものであり、例えば、ＲＡＭ、ＥＥＰＲＯＭ等の各種の記憶媒体が好適とされる。
【００２４】
施解錠装置ＣＰＵ２３は、施解錠装置２の構成各部を制御するためのものであり、具体的な制御としては、電気錠１０の施解錠操作時に暗証番号入力装置３の番号入力部３０にて入力され、無線信号で自装置に送信されてくる施解錠番号と施解錠装置メモリ２２に予め記憶されている暗証番号とを比較し、電気錠１０の施解錠操作が有効又は無効であるかの判別を行うことができる。また、施解錠装置ＣＰＵ２３は、電気錠１０の施解錠操作が有効であると判別したときにのみ電気錠制御部２１を制御し、電気錠１０を施解錠させることができる。
【００２５】
扉側施解錠装置Ｉ／Ｆ２４は、扉ラインＬ1から扉開閉検出部２０への信号伝送路を形成するためのものである。また、電気錠側施解錠装置Ｉ／Ｆ２５は、電気錠制御部２１から電気錠ラインＬ2への信号伝送路を形成するためのものである。さらに、施解錠装置無線Ｉ／Ｆ２６は、暗証番号入力装置３の入力装置無線Ｉ／Ｆ３４から無線通信で送信されてくる無線信号を受信し、受信した無線信号を（電気信号である）施解錠番号に信号処理して、施解錠装置ＣＰＵ２３に送出するためのものである。
【００２６】
施解錠装置電源部２５は、施解錠装置２の構成各部への動作電源を生成するためのものであり、例えば、商用電源を整流・平滑して直流電源を生成する当該電源部、或いは電池（一次電池、二次電池）が好適とされる。
【００２７】
このように構成された本発明の実施例による電気錠施解錠システムにおいて、以下、具体的な動作について説明する。
【００２８】
最初に、図１において、玄関扉１に設置された電気錠１０を、暗証番号入力装置３を使用して施解錠するにあたっては、その前提として、電気錠１０を施解錠するための施解錠番号Ａ0の設定を行い、この施解錠番号Ａ0を、電気錠１０の施解錠操作が有効又は無効であるかの判別を行うための暗証番号Ａ1として、入力装置メモリ３１及び施解錠装置２の施解錠装置メモリ２２にそれぞれ記憶する必要がある。なお、電気錠１０が有する性質としては、玄関扉１が開状態であるときに解錠され、開状態から閉扉状態になると自動的に施錠される性質を有しているものとする。
【００２９】
ここで、暗証番号入力装置３の使用者による番号入力部３０の設定操作をもとに、電気錠１０を施解錠するための施解錠番号Ａ0が入力されると、この施解錠番号Ａ0は、入力装置ＣＰＵ３３の制御により、暗証番号Ａ1として入力装置メモリ３１に記憶されるとともに、入力装置無線Ｉ／Ｆ３４にて無線信号Ｓ1aに信号処理された後、施解錠装置２の施解錠装置無線Ｉ／Ｆ２６に無線通信で送信される。
【００３０】
施解錠装置２の施解錠装置無線Ｉ／Ｆ２６は、暗証番号入力装置３の入力装置無線Ｉ／Ｆ３４から無線通信で送信されてきた無線信号Ｓ1aを受信し、電気信号である施解錠番号Ａ0に信号処理する。この施解錠番号Ａ0は、施解錠装置ＣＰＵ２３の制御により、暗証番号Ａ1として施解錠装置メモリ２２に記憶される。
【００３１】
次に、前述の暗証番号Ａ1を、施解錠装置２の施解錠装置メモリ２２及び暗証番号入力装置３の入力装置メモリ３１にそれぞれ記憶させた後の第１乃至第４の各動作について説明する。
【００３２】
第１の動作として、例えば、居住者が住戸外に出て外出先へと向かうにあたり、住戸内側から玄関扉１を開けると、電気錠１０が施錠状態から解錠状態に切り換えられ、施解錠装置２の扉開閉検出部２０は、扉側施解錠装置Ｉ／Ｆ２４、扉ラインＬ1を経由して、玄関扉１が閉状態から開状態に移行されたことを検出し、その旨の検出信号Ｓ2aを施解錠装置ＣＰＵ２３に送出する。
【００３３】
この後、玄関扉１が閉められると、施解錠装置２の扉開閉検出部２０は、扉側施解錠装置Ｉ／Ｆ２４、扉ラインＬ1を経由して、玄関扉１が開状態から閉状態に移行されたことを検出し、その旨の検出信号Ｓ3aを施解錠装置ＣＰＵ２３に送出する。この検出信号Ｓ3aを検出した施解錠装置ＣＰＵ２３は、電気錠制御部２１を制御して、解錠状態である電気錠１０を施錠するための施錠制御信号Ｓ4aを生成させる。
【００３４】
また、施解錠装置２の電気錠制御部２１にて生成された施錠制御信号Ｓ4aは、電気錠側施解錠装置Ｉ／Ｆ２５、電気錠ラインＬ2を経由して電気錠１０に伝送されることにより、電気錠１０を施錠状態に制御することができる。
【００３５】
次に、第２の動作として、例えば、外出先から住戸内に帰宅しようとする居住者が、暗証番号入力装置３の番号入力部３０にて電気錠１０を解錠させるための正規な施解錠番号、すなわち、施解錠番号Ａ0を入力すると、入力装置ＣＰＵ３３は、入力された施解錠番号Ａ0と入力装置メモリ３１に予め記憶されている暗証番号Ａ1との一致を判別して、その旨の判別情報、すなわち、電気錠１０の解錠操作が有効であることを表示部３２に表示させることができる。また、入力装置ＣＰＵ３３は、入力された施解錠番号Ａ0を、入力装置無線Ｉ／Ｆ３４にて無線信号Ｓ5aに信号処理した後、施解錠装置２の施解錠装置無線Ｉ／Ｆ２６に無線通信で送信する。
【００３６】
施解錠装置２の施解錠装置無線Ｉ／Ｆ２６は、暗証番号入力装置３の入力装置無線Ｉ／Ｆ３４から無線通信で送信されてきた無線信号Ｓ5aを受信し、電気信号である施解錠番号Ａ0に信号処理して施解錠装置ＣＰＵ２３に送出する。ここで、施解錠装置ＣＰＵ２３は、入力された施解錠番号Ａ0と施解錠装置メモリ２２に予め記憶されている暗証番号Ａ1との一致を判別し、電気錠制御部２１を制御して、施錠状態である電気錠１０を解錠するための解錠制御信号Ｓ6aを生成させる。この解錠制御信号Ｓ6aは、前述の施錠制御信号Ｓ4aと同一の信号伝送路を経由して電気錠１０に伝送され、電気錠１０を解錠させることにより、解錠操作を行った居住者は、解錠された電気錠１０が設置されている玄関扉１を開けて住戸内に帰宅することができる。
【００３７】
また、玄関扉１を開けて住戸内に帰宅した居住者が、住戸内側から玄関扉１を閉めると、住戸内側から玄関扉１を開けた後、玄関扉１を住戸外側から閉めた前述の第１の動作と同様、施解錠装置２の電気錠制御部２１にて生成された施錠制御信号Ｓ4aが電気錠１０に送出されることにより、電気錠１０を施錠状態に制御することができる。
【００３８】
なお、第２の動作によれば、前述までの説明から明らかなように、施解錠装置２の施解錠装置ＣＰＵ２３による照合結果と暗証番号入力装置３の入力装置ＣＰＵ３３による照合結果とがそれぞれ一致することがトリガとなり、施解錠装置ＣＰＵ２３による電気錠制御部２１の制御で電気錠１０を施解錠させることができる。
【００３９】
次に、第３の動作として、住戸内に侵入しようとする居住者ではない悪意ある人物、例えば、電気錠１０を解錠させるための正規な施解錠番号Ａ0を知り得ない泥棒等の不審者が、不正な施解錠番号Ａ10を作為的に変更し、暗証番号Ａ11として暗証番号入力装置３の入力装置メモリ３１に予め記憶させた場合において、この不審者が、不正な施解錠番号Ａ10を番号入力部３０にて入力すると、入力装置ＣＰＵ３３は、入力された施解錠番号Ａ10と入力装置メモリ３１に予め記憶されている暗証番号Ａ11との一致を判別して、その旨の判別情報、すなわち、電気錠１０の解錠操作が有効であることを表示部３２に表示させることができる。また、入力装置ＣＰＵ３３は、入力された施解錠番号Ａ10を、入力装置無線Ｉ／Ｆ３４にて無線信号Ｓ7aに信号処理した後、施解錠装置２の施解錠装置無線Ｉ／Ｆ２６に無線通信で送信する。
【００４０】
施解錠装置２の施解錠装置無線Ｉ／Ｆ２６は、暗証番号入力装置３の入力装置無線Ｉ／Ｆ３４から無線通信で送信されてきた無線信号Ｓ7aを受信し、電気信号である施解錠番号Ａ10に信号処理して施解錠装置ＣＰＵ２３に送出する。ここで、施解錠装置ＣＰＵ２３は、入力された施解錠番号Ａ10と施解錠装置メモリ２２に予め記憶されている暗証番号Ａ1との不一致を判別し、電気錠１０の施錠状態を保持することができる。この制御により、泥棒等の不審者が正規な施解錠番号Ａ0とは異なる不正な施解錠番号Ａ10を作為的に変更し、暗証番号入力装置３の入力装置ＣＰＵ３３による照合結果が一致した場合であっても、施解錠装置２の施解錠装置ＣＰＵ２３による照合結果が不一致となり電気錠１０の施錠状態が保持されるため、不審者による住戸内への侵入を未然に防止することができ防犯性が高められる。
【００４１】
次に、第４の動作として、前述の第３の動作と同様、泥棒等の不審者が正規な施解錠番号Ａ0とは異なる不正な施解錠番号Ａ10を作為的に変更し、暗証番号Ａ11として暗証番号入力装置３の入力装置メモリ３１に予め記憶させた場合において、外出先から住戸内に帰宅しようとする居住者が暗証番号入力装置３の番号入力部３０にて電気錠１０を解錠させるための正規な施解錠番号Ａ0を入力すると、入力装置ＣＰＵ３３は、入力された施解錠番号Ａ0と入力装置メモリ３１に予め記憶されている暗証番号Ａ10との不一致を判別して、その旨の判別情報、すなわち、電気錠１０の解錠操作が無効であることを表示部３２に表示させることができる。この制御により、外出先から住戸内に帰宅しようとする居住者は、電気錠１０を施解錠させるための正規な施解錠番号Ａ0とは異なる不正な施解錠番号Ａ10が泥棒等の不審者により作為的に変更され、入力装置メモリ３１に暗証番号Ａ10として記憶されていることを容易に確認できる。また、入力装置ＣＰＵ３３は、入力された施解錠番号Ａ0を、前述の第２の動作と同様な信号伝送路を経由して、施解錠装置の施解錠装置２の施解錠装置ＣＰＵ２３に送出する。ここで、施解錠装置ＣＰＵ２３は、入力された施解錠番号Ａ0と施解錠装置メモリ２２に予め記憶されている暗証番号Ａ1との一致を判別し、電気錠制御部２１を制御して解錠制御信号Ｓ6aを生成させ、前述の第２の動作と同様、施錠状態である電気錠１０を解錠することにより、解錠操作を行った居住者は、解錠された電気錠１０が設置されている玄関扉１を開けて住戸内に帰宅することができる。
【００４２】
なお、第４の動作によれば、前述までの説明から明らかなように、施解錠装置２の施解錠装置ＣＰＵ２３による照合結果と暗証番号入力装置３の入力装置ＣＰＵ３３による照合結果とのうち、入力装置ＣＰＵ３３による照合結果が不一致となった場合であっても、施解錠装置ＣＰＵ２３による照合結果が一致してトリガとなり、施解錠装置ＣＰＵ２３による電気錠制御部２１の制御で電気錠１０を施解錠させることができる。
【００４３】
前述までの説明から明らかなように、本発明の実施例による電気錠施解錠システムによれば、玄関扉１に設置されている電気錠１０の施解錠操作のために必要とされる携行機器として、背景技術に記載した無線リモコン等の電子キーを使用せずとも、当該施解錠操作が行われる暗証番号入力装置３の入力装置ＣＰＵ３３における施解錠番号と暗証番号との照合結果を操作者である居住者に報知することができるばかりでなく、悪意のある泥棒等の不審者による施解錠操作を無効にすることで防犯性を高めることができる。
【００４４】
次に、本発明の実施例による電気錠施解錠システムにおいては、施解錠装置２の施解錠装置ＣＰＵ２３による電気錠制御部２１の制御で施解錠される当該電気錠として、玄関扉１が開状態であるときに解錠され、開状態から閉扉状態になると自動的に施錠される性質を有する電気錠１０を適用し、解錠させる動作について説明したが、この性質を有する当該電気錠に限定されるものではない。例えば、玄関扉１が開状態であるときに解錠されるものの、開状態から閉扉状態になる場合であっても自動的に施錠されない性質を有する電気錠１０を適用するにあたっては、住戸内に出た居住者が、暗証番号入力装置３の番号入力部３０にて電気錠１０を施錠させるための正規な施解錠番号、すなわち、施解錠番号Ａ0を入力することにより、電気錠１０を施錠させる動作を行うこともできる。
【００４５】
なお、本発明の実施例による電気錠施解錠システムにおいては、施解錠装置２に無線信号を送信して無線通信を行い、電気錠１を施解錠するための機器として、暗証番号入力装置３のみを適用したが、この態様に限定されるものではない。例えば、背景技術に記載した特許文献１の無線リモコン等の電子キーも併用することができる。この電子キーを使用するにあたっては、所定のＩＤ番号を施解錠装置２の施解錠装置メモリ２２に予め記録させておく必要がある。
【００４６】
最後に、本発明の電気錠施解錠システムにおいては、特定の実施の形態をもって説明してきたが、この形態に限定されるものでなく、本発明の効果を奏する限り、これまで知られた如何なる構成の電気錠施解錠システムであっても採用できるということはいうまでもないことである。
【図面の簡単な説明】
【００４７】
【図１】本発明の実施例による電気錠施解錠システムの具体的な構成を示すブロック図。
【符号の説明】
【００４８】
１……玄関扉（扉）
２……施解錠装置
２２……施解錠装置メモリ
２３……施解錠装置ＣＰＵ
３……暗証番号入力装置
３０……番号入力部
３１……入力装置メモリ
３２……表示部
３３……入力装置ＣＰＵ
１０……電気錠
【図１】
2009035866.tif 000003